(57)【特許請求の範囲】
【請求項１】
ブラケット装置であって、
サイドプレートと、該サイドプレートに連結されるエンドプレートとを有するブラケットと、
前記ブラケットのエンドプレートに配置される取り付け部材と、
ロック部材と、
枢動部材と、
を含み、
前記ブラケット及び前記ロック部材の一方は細長い孔又は細長い溝を有し、前記枢動部材は前記細長い孔又は細長い溝の一部を貫通し、前記ロック部材は前記枢動部材を通じて前記ブラケットに取り付けられ、
前記ブラケット及び前記ロック部材の一方は、前記枢動部材及び前記細長い孔又は細長い溝を通じて前記細長い孔又は細長い溝の一端に対応する第１の位置と他端に対応する第２の位置との間で前記ロック部材を前記ブラケットに対して動かすことができる移動領域を提供する、ブラケット装置。
【請求項２】
前記ロック部材は前記枢動部材を通じて前記ブラケットに対して回転可能である、請求項１に記載のブラケット装置。
【請求項３】
前記ロック部材に弾性力を提供するように構成された弾性部材をさらに含み、
前記ロック部材は前記弾性部材の弾性力に反応して所定の位置に位置する、請求項２に記載のブラケット装置。
【請求項４】
前記エンドプレートは実質的に垂直に前記サイドプレートに連結され、
前記ロック部材はロック部を含み、
前記ロック部材が前記ブラケットに対して前記第１の位置に位置する場合、前記ロック部材のロック部と前記ブラケットのエンドプレートとの間で第１の距離が定義され、
前記ロック部材が前記ブラケットに対して前記第２の位置に位置する場合、前記ロック部材のロック部と前記ブラケットのエンドプレートとの間で第２の距離が定義される、請求項３に記載のブラケット装置。
【請求項５】
前記ブラケットは前記サイドプレートに連結される少なくとも１つの耳部を有し、
前記細長い孔又は細長い溝は前記少なくとも１つの耳部に形成されて前記少なくとも１つの耳部が前記移動領域を提供し、
前記ロック部材はベース部をさらに含み、
突出部分が前記ベース部に形成されるとともに前記ベース部に対して屈曲し、
前記枢動部材は前記ロック部材の突出部分と前記少なくとも１つの耳部の移動領域とを貫通する、請求項４に記載のブラケット装置。
【請求項６】
前記ブラケットのサイドプレートは前記ロック部材のベース部に対応する位置に配置される開口を有する、請求項５に記載のブラケット装置。
【請求項７】
前記弾性部材は第１の部分と、第２の部分と、該第１の部分及び該第２の部分の間に配置される巻線部とを含み、
前記巻線部は前記枢動部材の一部を通すように構成され、前記第１の部分は前記ブラケットと接触するように構成され、前記第２の部分は前記ロック部材と接触するように構成されている、請求項３に記載のブラケット装置。
【請求項８】
前記ロック部材のロック部は取り付け孔を有し、
前記ブラケット装置は前記取り付け孔を通じて前記ブラケットのエンドプレートに固定される固定部材をさらに含む、請求項４に記載のブラケット装置。
【請求項９】
前記弾性部材は第１の部分と、第２の部分と、該第１の部分及び該第２の部分の間に配置される巻線部とを含み、該巻線部は前記枢動部材の一部を通すための空間を提供し、
前記ブラケットは伸長部分を有し、
前記弾性部材の第１の部分は前記ブラケットの伸長部分に当接するように構成され、
前記弾性部材の第２の部分は前記ロック部材に当接するように構成されている、請求項３に記載のブラケット装置。
【請求項１０】
前記弾性部材の第１の部分は、前記ロック部材を前記ブラケットのエンドプレートに対して前記第１の位置の方に引っ張る引っ張り力を生成するための実質的にＵ字状の弾性アームを有する、請求項９に記載のブラケット装置。
【請求項１１】
ブラケット装置であって、
サイドプレート及びエンドプレートを有するブラケットと、
前記ブラケットのエンドプレートに配置される取り付け部材と、
ロック部を含むロック部材と、
枢動部材と、
を含み、
前記ブラケット及び前記ロック部材のうちの一方は細長い孔又は細長い溝を有し、前記枢動部材は前記細長い孔又は細長い溝の一部を貫通し、前記ロック部材は前記枢動部材を通じて前記ブラケットに取り付けられ、
前記ブラケット及び前記ロック部材の一方は、前記枢動部材及び前記細長い孔又は細長い溝を通じて前記細長い孔又は細長い溝の一端に対応する第１の位置と他端に対応する第２の位置との間で前記ロック部材を前記ブラケットに対して動かすことができる移動領域を提供し、
前記ロック部材が前記ブラケットに対して前記第１の位置に位置する場合、前記ロック部材のロック部と前記ブラケットのエンドプレートとの間で第１の距離が定義され、
前記ロック部材が前記ブラケットに対して前記第２の位置に位置する場合、前記ロック部材のロック部と前記ブラケットのエンドプレートとの間で第２の距離が定義される、ブラケット装置。
【請求項１２】
前記ロック部材は前記枢動部材を通じて前記ブラケットに対して回転可能であり、
前記ブラケット装置は、前記ロック部材に弾性力を提供するように構成された弾性部材をさらに含み、
前記ロック部材は前記弾性部材の弾性力に反応して所定の位置に位置する、請求項１１に記載のブラケット装置。
【請求項１３】
前記弾性部材は第１の部分と、第２の部分と、該第１の部分及び該第２の部分の間に配置される巻線部とを含み、
前記巻線部は前記枢動部材の一部を通すように構成され、前記第１の部分は前記ブラケットと接触するように構成され、前記第２の部分は前記ロック部材と接触するように構成されている、請求項１２に記載のブラケット装置。
【請求項１４】
前記ブラケットは伸長部分を有し、
前記弾性部材の第１の部分は前記ブラケットの伸長部分に当接するように構成され、
前記弾性部材の第１の部分は、前記ロック部材を前記ブラケットのエンドプレートに対して前記第１の位置の方に引っ張る引っ張り力を生成するための実質的にＵ字状の弾性アームを有する、請求項１３に記載のブラケット装置。
【請求項１５】
ポストに取り付けられるように構成されたブラケット装置であって、該ポストは孔を有し、当該ブラケット装置は、
サイドプレートと、該サイドプレートに実質的に垂直に連結されるエンドプレートとを有するブラケットと、
前記ブラケットのエンドプレートに配置され、前記ポストの孔を貫通するように構成された取り付け部材と、
前記ブラケットに取り付けられるロック部材と、
枢動部材と、
前記ロック部材に弾性力を提供するように構成された弾性部材と、
を含み、
前記ロック部材及び前記ブラケットの一方は細長い孔又は細長い溝を有し、前記枢動部材は前記細長い孔又は細長い溝の一部を貫通し、前記ロック部材は前記枢動部材を通じて前記ブラケットに取り付けられ、
前記ロック部材及び前記ブラケットの一方は、前記枢動部材及び前記細長い孔又は細長い溝を通じて前記細長い孔又は細長い溝の一端に対応する第１の位置と他端に対応する第２の位置との間で前記ロック部材を前記ブラケットに対して動かすことができる移動領域を提供し、
前記ロック部材はロック部を含み、前記ロック部材が前記第１の位置に位置する場合、前記ロック部と前記ブラケットのエンドプレートとの間で第１の距離が定義され、前記ロック部材が前記第２の位置に位置する場合、前記ロック部と前記ブラケットのエンドプレートとの間で第２の距離が定義され、
前記枢動部材を通じて前記ロック部材は前記ブラケットに対して回転可能である、ブラケット装置。
【請求項１６】
前記ブラケットは前記サイドプレートに連結された少なくとも１つの耳部を有し、
前記細長い孔又は細長い溝は前記少なくとも１つの耳部に形成されて前記少なくとも１つの耳部が前記移動領域を提供し、
前記ロック部材はベース部をさらに含み、
突出部分が前記ベース部に形成されるとともに前記ベース部に対して屈曲され、
前記枢動部材は前記ロック部材の突出部分及び前記少なくとも１つの耳部の移動領域を貫通する、請求項１５に記載のブラケット装置。
【請求項１７】
前記弾性部材は第１の部分と、第２の部分と、該第１の部分及び該第２の部分の間に配置される巻線部とを含み、
前記巻線部は前記枢動部材の一部を通すように構成され、前記第１の部分は前記ブラケットと接触するように構成され、前記第２の部分は前記ロック部材と接触するように構成されている、請求項１５に記載のブラケット装置。
【請求項１８】
前記ブラケットは伸長部分を有し、
前記弾性部材の第１の部分は前記ブラケットの伸長部分に当接するように構成され、
前記弾性部材の第１の部分は、前記ロック部材を前記ブラケットのエンドプレートに対して前記第１の位置の方に引っ張る引っ張り力を生成するための実質的にＵ字状の弾性アームを有する、請求項１７に記載のブラケット装置。
【請求項１９】
前記ロック部材のロック部は取り付け孔を有し、
前記ブラケット装置は前記取り付け孔を通じて前記ブラケットのエンドプレートをポストに固定するように構成された固定部材をさらに含む、請求項１５に記載のブラケット装置。
【発明の詳細な説明】
【技術分野】
【０００１】
本発明はブラケット装置に関し、より具体的にはラックのポストにレールを取り付けることが可能なブラケット装置に関する。
【背景技術】
【０００２】
ラックシステムにおいて、スライドレールアセンブリはブラケットを通じてラックのポストに取り付けられることが多い。特許文献１にはラックのためのブラケットアセンブリが開示されている。ラックは複数の孔を有する。ブラケットアセンブリはブラケットと、該ブラケットに枢結される固定部材とを含む。複数の連結部材がラックの孔に挿入され、固定部材は弾性力を提供するとともに、ブラケットをラックに連結するためにラックに留まる固定部を有する。
【０００３】
しかしながら、ラックの仕様又は寸法は様々であり得る。従って、様々な種類のラックに適用可能なブラケット製品を開発してブラケット製品の効率を改善する必要がある。
【先行技術文献】
【特許文献】
【０００４】
【特許文献１】米国特許第７３５７３６２号明細書
【特許文献２】米国特許第８７７０５２８号明細書
【特許文献３】米国特許第８７２７１３８号明細書
【特許文献４】米国特許第９３７０１２０号明細書
【特許文献５】米国特許第９３８２９４３号明細書
【発明の概要】
【発明が解決しようとする課題】
【０００５】
本発明は、ブラケットに対して可動なロック部材を有するブラケット装置に関する。
【課題を解決するための手段】
【０００６】
本発明の一実施形態によれば、ブラケット装置はブラケットと、取り付け部材と、ロック部材とを含む。ブラケットはサイドプレートと、該サイドプレートに連結されるエンドプレートとを有する。取り付け部材はブラケットのエンドプレートに配置される。ブラケット及びロック部材の一方は、ロック部材をブラケットに対して第１の位置と第２の位置との間で動かすことができるようにする移動領域を提供する。
【０００７】
ブラケット装置は移動領域の一部を貫通する枢動部材をさらに含むことが好ましい。ロック部材は枢動部材を通じてブラケットに対して回転可能である。
【０００８】
ブラケット装置はロック部材に弾性力を提供するように構成された弾性部材をさらに含むことが好ましい。ロック部材は弾性部材の弾性力に反応して所定の位置に位置する。
【０００９】
エンドプレートは実質的に垂直にサイドプレートに連結されることが好ましい。ロック部材はロック部を含む。ロック部材がブラケットに対して第１の位置に位置する場合、ロック部材のロック部とブラケットのエンドプレートとの間で第１の距離が定義される。ロック部材がブラケットに対して第２の位置に位置する場合、ロック部材のロック部とブラケットのエンドプレートとの間で第２の距離が定義される。
【００１０】
ブラケットはサイドプレートに連結される少なくとも１つの耳部を有することが好ましい。少なくとも１つの耳部は移動領域を提供する。ロック部材はベース部をさらに含む。突出部分がベース部に形成されるとともにベース部に対して屈曲している。枢動部材はロック部材の突出部分と少なくとも１つの耳部の移動領域とを貫通する。
【００１１】
ブラケットのサイドプレートはロック部材のベース部に対応する位置に配置される開口を有することが好ましい。
【００１２】
弾性部材は第１の部分と、第２の部分と、該第１の部分及び該第２の部分の間に配置される巻線部とを含むことが好ましい。巻線部は枢動部材の一部を通すように構成されている。第１の部分はブラケットと接触するように構成されている。第２の部分はロック部材と接触するように構成されている。
【００１３】
ロック部材のロック部は取り付け孔を有することが好ましい。ブラケット装置は取り付け孔を通じてブラケットのエンドプレートに固定される固定部材をさらに含む。
【００１４】
移動領域は細長い孔又は細長い溝であることが好ましい。
【００１５】
弾性部材は第１の部分と、第２の部分と、該第１の部分及び該第２の部分の間に配置される巻線部とを含むことが好ましい。該巻線部は枢動部材の一部を通すための空間を提供する。ブラケットは伸長部分を有する。弾性部材の第１の部分はブラケットの伸長部分に当接するように構成されている。弾性部材の第２の部分はロック部材に当接するように構成されている。
【００１６】
弾性部材の第１の部分は、ロック部材をブラケットのエンドプレートに対して第１の位置の方に引っ張る引っ張り力を生成するための実質的にＵ字状の弾性アームを有することが好ましい。
【００１７】
本発明の別の実施形態によれば、ブラケット装置はブラケットと、取り付け部材と、ロック部材とを含む。ブラケットはサイドプレート及びエンドプレートを有する。取り付け部材はブラケットのエンドプレートに配置される。ロック部材はロック部を含む。ブラケット及びロック部材のうちの一方は、ロック部材をブラケットに対して第１の位置と第２の位置との間で動かすための移動領域を提供する。ロック部材がブラケットに対して第１の位置に位置する場合、ロック部材のロック部とブラケットのエンドプレートとの間で第１の距離が定義される。ロック部材がブラケットに対して第２の位置に位置する場合、ロック部材のロック部とブラケットのエンドプレートとの間で第２の距離が定義される。
【００１８】
本発明の別の実施形態によれば、ブラケット装置はポストに取り付けられるように構成される。ポストは孔を有する。ブラケット装置はブラケットと、取り付け部材と、ロック部材と、枢動部材と、弾性部材とを含む。ブラケットはサイドプレートと、該サイドプレートに実質的に垂直に連結されるエンドプレートとを有する。取り付け部材はブラケットのエンドプレートに配置され、ポストの孔を貫通するように構成されている。ロック部材はブラケットに取り付けられる。ロック部材及びブラケットのうちの一方は、ロック部材をブラケットに対して第１の位置と第２の位置との間で動かすための移動領域を提供する。ロック部材はロック部を含む。ロック部材が第１の位置に位置する場合、ロック部とブラケットのエンドプレートとの間で第１の距離が定義される。ロック部材が第２の位置に位置する場合、ロック部とブラケットのエンドプレートとの間で第２の距離が定義される。枢動部材は移動領域の一部を貫通する。枢動部材を通じてロック部材はブラケットに対して回転可能である。弾性部材はロック部材に弾性力を提供するように構成されている。
【００１９】
ロック部材のロック部は取り付け孔を有することが好ましい。ブラケット装置は取り付け孔を通じてブラケットのエンドプレートをポストに固定さすように構成された固定部材をさらに含む。
【００２０】
様々な図面に図示する下記の好ましい実施形態の詳細な説明を読み終えた後、本発明の上記の目的及び他の目的が当業者に間違いなく明らかになる。
【図面の簡単な説明】
【００２１】
【図１】図１は、本発明の一実施形態に係る、スライドレールアセンブリをラックに取り付け可能なブラケット装置と、保持物体に取り付けられたスライドレールアセンブリとを示す図である。
【図２】図２は、本発明の第１の実施形態に係るブラケット装置の分解図である。
【図３】図３は、ロック部材をブラケットに対して動かせるように構成された移動領域を示すための、図２の領域Ａの拡大図である。
【図４】図４は、本発明の第１の実施形態に係るブラケット装置を示す図である。
【図５】図５は、本発明の一実施形態に係る、ある方向に沿ってブラケット装置と共にポストの方に動かされたレールを示す図である。
【図６】図６は、ブラケットに対してロック解除状態にある図５のブラケット装置のロック部材と、ポストの孔と整合したブラケットの取り付け部材とを示す図である。
【図７】図７は、ポストに取り付けられた図６のブラケット装置と、固定部材を通じてポストに固定されたブラケットとを示す図である。
【図８】図８は、第１の厚さを有するポストにレールを取り付けるために、ポストの方に動かされた本発明の第１の実施形態のブラケット装置を示す図である。
【図９】図９は、ブラケットに対して第１の位置に位置するロック部材を示すための図８の領域Ａの拡大図である。
【図１０】図１０は、ポストに取り付けられた図８のブラケット装置を示す図であり、ロック部材のロック部とブラケットのエンドプレートとの間で第１の距離が定義され、第１の距離はポストの第１の厚さに対応する。
【図１１】図１１は、本発明の第１の実施形態に係る、第２の厚さを有する別のポストにレールを取り付けるためにポストの方に動かされたブラケット装置を示す図である。
【図１２】図１２は、ブラケットに対して第１の位置に位置するロック部材を示すための図１１の領域Ａの拡大図である。
【図１３】図１３は、ポストの孔と整合した図１１のブラケット装置のブラケットの取り付け部材を示す図である。
【図１４】図１４は、ポストに取り付けられた図１１のブラケット装置を示す図であり、ロック部材のロック部とブラケットのエンドプレートとの間で第２の距離が定義され、第２の距離はポストの第２の厚さに対応する。
【図１５】図１５は、ブラケットに対して第２の位置に位置するロック部材を示すための図１４の領域Ａの拡大図である。
【図１６】図１６は、本発明の第２の実施形態に係るブラケット装置の分解図である。
【図１７】図１７は、ブラケットに対してロック部材を動かせるように構成された移動領域を示すための図１６の領域Ａの拡大図を示す。
【図１８】図１８は、本発明の第２の実施形態に係るブラケット装置を示す図である。
【図１９】図１９は、本発明の第２の実施形態に係る、ある方向に沿ってブラケット装置と共にポストの方に動かされたスライドレールを示す図である。
【図２０】図２０は、本発明の第２の実施形態に係る、ブラケットに対してロック解除状態にあるブラケット装置のロック部材と、ポストの孔と整合したブラケットの取り付け部材とを示す図である。
【図２１】図２１は、ポストに取り付けられた本発明の第２の実施形態のブラケット装置と、固定部材を通じてポストに固定されたブラケットとを示す図である。
【図２２】図２２は、第１の厚さを有するポストにレールを取り付けるために、ポストの方に動かされた本発明の第２の実施形態のブラケット装置を示す図である。
【図２３】図２３は、ブラケットに対して第１の位置に位置するロック部材を示すための図２２の領域Ａの拡大図である。
【図２４】図２４は、第１の厚さを有するポストに取り付けられた本発明の第２の実施形態のブラケット装置と、方向Ｆ１の沿った引っ張り力に反応してポストに当接するロック部材とを示す図である。
【図２５】図２５は、第２の厚さを有する別のポストにレールを取り付けるために別のポストの方に動かされた本発明の第２の実施形態のブラケット装置を示す図である。
【図２６】図２６は、本発明の第２の実施形態に係る、ポストの孔と整合したブラケット装置のブラケットの取り付け部材を示す図である。
【図２７】図２７は、ブラケットに対して第１の位置に位置するロック部材を示すための図２６の領域Ａの拡大図である。
【図２８】図２８は、第２の厚さを有するポストに取り付けられた本発明の第２の実施形態のブラケット装置を示す図である。
【図２９】図２９は、ブラケットに対して第２の位置に位置するロック部材を説明するための、図２８の領域Ａの拡大図である。
【図３０】図３０は、第２の厚さを有するポストに取り付けられた本発明の第２の実施形態のブラケット装置と、方向Ｆ１に沿った引っ張り力に反応してポストに当接するロック部材とを示す図である。
【発明を実施するための形態】
【００２２】
図１は、本発明の一実施形態に係る、ラック２２に取り付けられた一対のスライドレールアセンブリを示す図である。各スライドレールアセンブリ２０の２つの部分、例えば前部及び後部は第１のブラケット装置２４及び第２のブラケット装置２６を通じてラック２２の第１のポスト２８ａ及び第２のポスト２８ｂにそれぞれ取り付けられている。具体的には、各スライドレールアセンブリ２０は第１のレール３０と、第１のレール３０に対して長手方向に可動な第２のレール３２とを含む。各スライドレールアセンブリ２０は、第１のレール３０に対する第２のレール３２の移動距離を増やすように構成された第３のレール３４をさらに含むことが好ましい。第２のレール３２は電気機器のシャーシ又は引き出し等の保持物体３６に取り付けられるように構成されている。
【００２３】
図２、図３及び図４に示すように、第１のブラケット装置２４（以下、ブラケット装置２４と言う）はブラケット３８と、少なくとも１つの取り付け部材４０と、ロック部材４２とを含む。
【００２４】
ブラケット３８はサイドプレート４４と、サイドプレート４４に連結されたエンドプレート４６とを有する。エンドプレート４６は実質的に垂直にサイドプレート４４に連結されている。ブラケット３８のサイドプレート４４は開口４８を有し、ブラケット３８はサイドプレート４４に連結された少なくとも１つの耳部５０を有することが好ましい。本実施形態では、ブラケット３８はサイドプレート４４に連結されるとともに、例えば開口４８に隣接する一対の耳部５０を有する。一対の耳部５０のうちの１つは伸長部分５４を備える。
【００２５】
少なくとも１つの取り付け部材４０、例えば一対の取り付け部材４０はブラケット３８のエンドプレート４６に配置できる。そのような配置は当業者に公知であるため、さらなる説明は省略する。
【００２６】
ロック部材４２はブラケット３８に取り付けられている。ロック部材４２はベース部５６とロック部５８とを含む。ベース部５６は、ユーザーが操作できるようにブラケット３８の開口４８に対応する位置に位置する。ロック部５８は取り付け孔５９を有する。ロック部材４２は、ベース部５６とロック部５８との間に位置する中間部６０をさらに含むことが好ましい。中間部６０は第１の端部６２と、第１の端部６２の反対側の第２の端部６４とを有する。第１の端部６２はベース部５６に対して傾斜している。第２の端部６４はロック部５８に実質的に垂直に連結されている。さらに、ロック部材４２のベース部５６は、ベース部５６に対して屈曲した少なくとも１つの突出部分６６を備える。本実施形態では、例えは一対の突出部分６６がベース部５６に対して屈曲されている。一対の突出部分６６は一対の耳部５０に隣接する。
【００２７】
ロック部材４２及びブラケット３８のうちの一方は移動領域６７を提供する。本実施形態では、移動領域６７は、ロック部材４２をブラケット３８に対して長手方向に可動となるように長手方向に配置されている。本実施形態では、ブラケット３８が移動領域６７を提供する。例えば、ブラケット３８の一対の耳部５０が移動領域６７を提供する。移動領域６７は細長い孔又は細長い溝であり得る。本実施形態ではブラケット３８が移動領域６７を提供するが、代替的にロック部材４２が移動領域６７を提供するようにしてもよい。簡単に（briefly）、移動領域６７はブラケット３８に対してロック部材４２を長手方向に動かすことができるようにする。
【００２８】
ブラケット装置２４は枢動部材６８及び弾性部材７０をさらに含むことが好ましい。枢動部材６８は移動領域６７の一部を貫通する。具体的には、枢動部材６８はブラケット３８の移動領域６７の一部と、ロック部材４２の一対の突出部分６６とを貫通する。弾性部材７０はロック部材４２に弾性力を提供するように構成されている。ロック部材４２は、弾性部材７０の弾性力に反応して所定の位置に位置する。さらに、弾性部材７０は第１の部分７２と、第２の部分７４と、第１の部分７２及び第２の部分７４の間に位置する巻線部７６とを含む。巻線部７６は、枢動部材６８の一部を通すための空間７８を提供する。第１の部分７２はブラケット３８と接触するように構成されている。第２の部分７４はロック部材４２と接触するように構成されている。本実施形態では、第１の部分７２はブラケット３８の伸長部分５４に当接し、第２の部分７４はロック部材４２のベース部５６に当接する。
【００２９】
図５に示すように、第１のポスト２８ａは第１の孔８０ａ、第２の孔８０ｂ及び第３の孔８０ｃ等の複数の孔を有する。他方、ブラケット装置２４はロック状態にある。例えば、ブラケット装置２４のロック部材４２は、弾性部材７０の弾性力に反応してブラケット３８のエンドプレート４６に対してロック位置Ｌ１（閉位置）に位置している。
【００３０】
図６に示すように、前述のスライドレールアセンブリ２０の第１のレール３０は、ブラケット装置２４を通じて第１のポスト２８ａに取り付けるために、方向Ｄに沿って第１のポスト２８ａの方に動かすことができる。そのような取り付けプロセスの間、ガイド部８２（傾斜面又は湾曲面を有するガイド構造）等のブラケット装置２４のロック部材４２の一部は、ロック部材４２が枢動部材６８を通じてブラケット３８に対してロック位置Ｌ１からロック解除状態になるように、例えばロック解除位置Ｌ２（開位置）に位置するよう回転するように第１のポスト２８ａの側面に当接することができる。そのような動作は当業者に公知であるため、さらなる説明は省略する。そして、弾性部材７０は、ロック部材４２がロック解除位置Ｌ２に位置することに反応して弾性力を蓄積する。他方、ブラケット装置２４の一対の取り付け部材４０は第１のポスト２８ａの第１の孔８０ａ及び第２の孔８０ｂを貫通できる。
【００３１】
図７に示すように、第１のレール３０が方向Ｄに沿ってさらに動かされると、ブラケット装置２４の一対の取り付け部材４０を第１のポスト２８ａの第１の孔８０ａ及び第２の孔８０ｂに取り付けることができ、弾性部材７０は弾性力を解放し、ロック部材４２は第１のポスト２８ａをロックするために弾性部材７０の弾性力に反応してロック解除位置Ｌ２からロック位置Ｌ１に戻ることができる。その間、ロック部材４２のロック部５８は第１のポスト２８ａをロックする。簡単に、ブラケット装置２４を第１のポスト２８ａに取り付けることができる。ロック部材４２が第１のポスト２８ａをロックすると、ロック部材４２のロック部５８の取り付け孔５９は第１のポスト２８ａの第３の孔８０ｃに対応する位置に位置する。ブラケット装置２４は、取り付け孔５９を通じてブラケット３８のエンドプレート４６を第１のポスト２８ａに固定するように構成された固定部材８４をさらに含むことが好ましい。
【００３２】
図８及び図９に示すように、第１のポスト２８ａは第１の厚さＷ１を有する。他方、ブラケット装置２４のロック部材４２は移動領域６７を通じてブラケット３８に対して第１の位置Ｐ１に位置することができる。ロック部材４２がブラケット３８に対して第１の位置Ｐ１に位置する場合、ロック部材４２のロック部５８とブラケット３８のエンドプレート４６との間で第１の距離Ｘ１が定義される。図１０に示すように、ブラケット装置２４の一対の取り付け部材４０は、方向Ｄに沿って第１のポスト２８ａの第１の孔８０ａ及び第２の孔８０ｂに取り付けることができ、ロック部材４２は、弾性部材７０の弾性力に反応して第１のポスト２８ａをさらにロックする。ロック部材４２のロック部５８とブラケット３８のエンドプレート４６との間の第１の距離Ｘ１は第１のポスト２８ａの第１の厚さＷ１に対応する。具体的には、第１の距離Ｘ１は、ロック部材４２のロック部５８が第１のポスト２８ａをロックできるようにするために第１のポスト２８ａの第１の厚さＷ１以上である。
【００３３】
図１１は別の第１のポスト２００に適用可能なブラケット装置２４を示す図である。具体的には、第１のポスト２００は、第１のポスト２８ａの第１の厚さＷ１よりも大きい第２の厚さＷ２を有する。他方、図１２に示すように、ブラケット装置２４のロック部材４２は移動領域６７を通じてブラケット３８に対して第１の位置Ｐ１に位置することができる。ロック部材４２がブラケット３８に対して第１の位置Ｐ１に位置する場合、ロック部材４２のロック部５８とブラケット３８のエンドプレート４６との間で第１の距離Ｘ１が定義される。
【００３４】
図１３に示すように、スライドレールアセンブリ２０の第１のレール３０をブラケット装置２４と共に方向Ｄに沿って第１のポスト２００の方に動かすと、ロック部材４２はロック解除状態になるように回転される（そのような動作は当業者に公知であるため、さらなる説明は省略する）。他方、ブラケット装置２４の一対の取り付け部材４０は、第１のポスト２００の第１の孔２０２及び第２の孔２０４とそれぞれ整合しそれらに対して延びる。
【００３５】
図１４及び図１５に示すように、ブラケット装置２４の一対の取り付け部材４０が第１のポスト２００に取り付けられると、ロック部材４２はロック解除状態からロック状態に戻る。第１のポスト２００は第２の厚さＷ２を有するため、ロック部材４２がロック状態に戻るプロセスの間に、ロック部材４２をブラケット３８に対して第１の位置Ｐ１から第２の位置Ｐ２に移動領域６７を通じて長手方向に動かすことができる。ロック部材４２がブラケット３８に対して第２の位置Ｐ２に位置する場合、ロック部材４２のロック部５８とブラケット３８のエンドプレート４６との間で第２の距離Ｘ２が定義される（即ち、ロック部材４２のロック部５８とブラケット３８のエンドプレート４６との間の距離が第１の距離Ｘ１から第２の距離Ｘ２に変わる）。第２の距離Ｘ２は第１のポスト２００の第２の厚さＷ２に対応する。具体的には、第２の距離Ｘ２は、ロック部材４２のロック部５８が第１のポスト２００をロックできるようにするために第１のポスト２００の第２の厚さＷ２以上である。
【００３６】
従って、ロック部材４２は、厚さの異なるポストにブラケット装置２４を取り付けることができるように、ブラケット３８に対して第１の位置Ｐ１と第２の位置Ｐ２との間を移動領域６７を通じて長手方向に移動できる。
【００３７】
図１６、図１７及び図１８に示すように、本発明の第２の実施形態の第１のブラケット装置２４’（以下、ブラケット装置２４’と言う）はブラケット３８’と、少なくとも１つの取り付け部材４０と、ロック部材４２とを含む。
【００３８】
ブラケット３８’はサイドプレート４４と、サイドプレート４４に連結されたエンドプレート４６とを有する。エンドプレート４６はサイドプレート４４に実質的に垂直に連結されている。ブラケット３８’のサイドプレート４４は開口４８を有し、ブラケット３８’はサイドプレート４４に連結された少なくとも１つの耳部５０’を有することが好ましい。本実施形態では、ブラケット３８’は、例えはサイドプレート４４に連結されるとともに開口４８に隣接する一対の耳部５０’を有する。第１の実施形態のブラケット３８とは異なり、ブラケット３８’は耳部５０’のうちの一方に隣接して配置される伸長部分５５をさらに含む。伸長部分５５は第１の壁５７ａと、第２の壁５７ｂと、伸長突起５７ｃとを含む。第２の壁５７ｂは第１の壁５７ａから実質的に垂直に延び、伸長突起５７ｃは第２の壁５７ｂの端の一部から延び、一対の耳部５０’から離れている。
【００３９】
本発明の第２の実施形態では、少なくとも１つの取り付け部材４０及びロック部材４２は、第１の実施形態の少なくとも１つの取り付け部材４０及びロック部材４２と同じであるか又は同様である。簡略化のために、さらなる説明は省略する。
【００４０】
ブラケット装置２４’は枢動部材６８及び弾性部材７０’をさらに含むことが好ましい。枢動部材６８は移動領域６７の一部を貫通する。具体的には、枢動部材６８はブラケット３８’の移動領域６７の一部とロック部材４２の一対の突出部分６６とを貫通する。弾性部材７０’はロック部材４２に弾性力を提供するように構成されている。ロック部材４２は弾性部材７０’の弾性力に反応して所定の位置に位置する。さらに、弾性部材７０’は第１の部分７２’と、第２の部分７４’と、第１の部分７２’及び第２の部分７４’の間に位置する巻線部７６’とを含む。巻線部７６’は枢動部材６８の一部を通すための空間７８を提供する。第１の部分７２’はブラケット３８’と接触するように構成されている。第２の部分７４’はロック部材４２と接触するように構成されている。本実施形態では、第１の部分７２’はブラケット３８’の伸長部分５５に当接し、第２の部分７４’はロック部材４２のベース部５６に当接する。第１の部分７２’は、ブラケット３８’のエンドプレート４６に対してロック部材４２を引っ張るために方向Ｆ１に沿って引っ張り力を生成するために実質的にＵ字状の弾性アーム７３を有することが好ましい。あるいは、別の実施形態（図示せず）では、ブラケット３８’のエンドプレート４６に対してロック部材４２に方向Ｆ１に沿って引っ張り力を生成するために、ロック部材４２とブラケット３８’との間に追加の引張バネを連結できる。
【００４１】
図１９、図２０及び図２１は、ポストに取り付けられ且つ固定された本発明の第２の実施形態のブラケット装置を示す図である。図１９、図２０及び図２１の動作は図５、図６及び図７の動作と同様であるため、さらなる説明は省略する。
【００４２】
図２２及び図２３に示すように、第１のポスト２８ａは第１の厚さＷ１を有する。他方、ブラケット装置２４’のロック部材４２は移動領域６７を通じてブラケット３８’に対して第１の位置Ｐ１に位置することができる。ロック部材４２がブラケット３８’に対して第１の位置Ｐ１に位置する場合、ロック部材４２のロック部５８とブラケット３８’のエンドプレート４６との間で第１の距離Ｘ１が定義される。図２４に示すように、ブラケット装置２４’の一対の取り付け部材４０を第１のポスト２８ａの第１の孔８０ａ及び第２の孔８０ｂに取り付けることができ、ロック部材４２は弾性部材７０’の弾性力に反応して第１のポスト２８ａをさらにロックする。ロック部材４２のロック部５８とブラケット３８’のエンドプレート４６との間の第１の距離Ｘ１は第１のポスト２８ａの第１の厚さＷ１に対応する。具体的には、第１の距離Ｘ１は、ロック部材４２のロック部５８が第１のポスト２８ａをロックできるようにするために第１のポスト２８ａの第１の厚さＷ１以上である。それに加えて、弾性部材７０’の第１の部分７２の弾性アーム７３は方向Ｆ１に沿って引っ張り力を提供することができ、ロック部材４２は引っ張り力に反応して第１のポスト２３ａと密着することができる。
【００４３】
図２４は別の第１のポスト２００に適用可能なブラケット装置２４’を示す図である。具体的には、第１のポスト２００は第１のポスト２８ａの第１の厚さＷ１よりも大きい第２の厚さＷ２を有する。他方、図２５及び図２６に示すように、ブラケット装置２４’のロック部材４２は移動領域６７を通じてブラケット３８’に対して第１の位置Ｐ１に位置することができる。ロック部材４２がブラケット３８’に対して第１の位置Ｐ１に位置する場合、ロック部材４２のロック部５８とブラケット３８’のエンドプレート４６との間で第１の距離Ｘ１が定義される。
【００４４】
図２７に示すように、スライドレールアセンブリ２０の第１のレール３０がブラケット装置２４’を通じて第１のポスト２００に取り付けられると、ロック部材４２はロック解除状態になるように回転される（そのような動作は当業者に公知であるため、さらなる説明は省略する）。他方、ブラケット装置２４’の一対の取り付け部材４０は第１のポスト２００の第１の孔２０２及び第２の孔２０４と整合し且つそれらに対して延びている。
【００４５】
図２８及び図２９に示すように、ブラケット装置２４’の一対の取り付け部材４０が第１のポストに取り付けられると、ロック部材４２はロック解除状態からロック状態に戻る。第１のポスト２００は第２の厚さＷ２を有するため、ロック部材４２は、ロック部材４２がロック状態に戻るプロセスの間にブラケット３８’に対して第１の位置Ｐ１から第２の位置Ｐ２に移動領域６７を通じて長手方向に移動できる。ロック部材４２がブラケット３８’に対して第２の位置Ｐ２に位置する場合、ロック部材４２のロック部５８とブラケット３８’のエンドプレート４６との間で第２の距離Ｘ２が定義される（即ち、ロック部材４２のロック部５８とブラケット３８’のエンドプレート４６との間の距離が第１の距離Ｘ１から第２の距離Ｘ２に変わる）。第２の距離Ｘ２は第１のポスト２００の第２の厚さＷ２に対応する。具体的には、第２の距離Ｘ２は、ロック部材４２のロック部５８が第１のポスト２００をロックできるようにするために第１のポスト２００の第２の厚さＷ２以上である。それに加えて、図３０に示すように、弾性部材７０’の弾性アーム７３は方向Ｆ１に沿って引っ張り力を提供することができ、引っ張り力に反応してロック部材４２を第１のポスト２００に密着させることができる。
【００４６】
従って、ロック部材４２をブラケット３８’に対して第１の位置Ｐ１と第２の位置Ｐ２との間で移動領域６７を通じて長手方向に動かすことができ、弾性部材の弾性アームは引っ張り力を提供することができ、その引っ張り力に反応してロック部材を物体のポストに密着させることができる。従って、厚さが異なるポストにブラケット装置２４’を安定的に且つ強固に取り付けることができる。
【００４７】
当業者であれば、本発明の教示を維持しながら多くの変更及び改良が装置及び方法に加えられ得ることに容易に気付く。従って、上記の開示は、添付の請求項の範囲によってのみ限定されると解釈すべきである。
【符号の説明】
【００４８】
２０  スライドレールアセンブリ
２２  ラック
２４  第１のブラケット装置
２６  第２のブラケット装置
２８  ポスト
３０  第１のレール
３２  第２のレール
３４  第３のレール
３６  保持物体
３８  ブラケット
４０  取り付け部材
４２  ロック部材
４４  サイドプレート
４６  エンドプレート
４８  開口
５０  耳部
５４  伸長部分
５６  ベース部
５８  ロック部
６０  中間部
６２  第１の端部
６４  第２の端部
６６  突出部分
６７  移動領域
６８  枢動部材
７０  弾性部材
７２  第１の部分
７３  弾性アーム
７４  第２の部分
７６  巻線部
７８  空間
８４  固定部材
【図１】
0006357214.tif 000002
【図２】
0006357214.tif 000003
【図３】
0006357214.tif 000004
【図４】
0006357214.tif 000005
【図５】
0006357214.tif 000006
【図６】
0006357214.tif 000007
【図７】
0006357214.tif 000008
【図８】
0006357214.tif 000009
【図９】
0006357214.tif 000010
【図１０】
0006357214.tif 000011
【図１１】
0006357214.tif 000012
【図１２】
0006357214.tif 000013
【図１３】
0006357214.tif 000014
【図１４】
0006357214.tif 000015
【図１５】
0006357214.tif 000016
【図１６】
0006357214.tif 000017
【図１７】
0006357214.tif 000018
【図１８】
0006357214.tif 000019
【図１９】
0006357214.tif 000020
【図２０】
0006357214.tif 000021
【図２１】
0006357214.tif 000022
【図２２】
0006357214.tif 000023
【図２３】
0006357214.tif 000024
【図２４】
0006357214.tif 000025
【図２５】
0006357214.tif 000026
【図２６】
0006357214.tif 000027
【図２７】
0006357214.tif 000028
【図２８】
0006357214.tif 000029
【図２９】
0006357214.tif 000030
【図３０】
0006357214.tif 000031